(57)【要約】      （修正有）【課題】香りを発散するポータブル電子デバイスのレザーカバーの留め具を提供する。【解決手段】香りを発散するポータブル電子デバイスのレザーカバーの留め具１は、留め具本体１１、キャリア部材１２により構成される。留め具本体１１は収容エリア１１１を有する。留め具本体１１の一端にはポータブル電子デバイスのレザーカバー３のベルト３１を連結する連結部１１２を形成する。キャリア部材１２上には芳香材料搭載体２を取り付けることができる陥没エリア１２１を有し、留め具本体１１頂点面には穴１１３を設置する。ポータブル電子デバイスのレザーカバー３に連結することで、香りを、留め具本体１１頂点面に設置する穴１１３から発散し続け、香りを提供する効果を達成する。【選択図】図１
0003202151.tif 000002
【実用新案登録請求の範囲】
【請求項１】
香りを発散するポータブル電子デバイスのレザーカバーの留め具であって、
前記留め具は、留め具本体、キャリア部材により構成され、
前記留め具本体は、収容エリアを有し、
前記キャリア部材は、ピボットにより、前記留め具本体及び前記キャリア部材の軸孔を通過し、前記留め具本体の収容エリア内に枢設され、
芳香材料搭載体を設置し或いは交換する際には、前記留め具本体収容エリア内のキャリア部材を押し出し、これにより前記キャリア部材は、前記ピボットを支点として回転し、前記留め具本体外へと移動し、前記芳香材料搭載体を設置或いは交換でき、完成後は、前記キャリア部材を前記留め具本体の収容エリア内に再び押し入れ、
前記留め具本体の一端には、ポータブル電子デバイスのレザーカバーのベルトを連結する連結部を形成し、
前記キャリア部材上には、前記芳香材料搭載体を取り付けることができる陥没エリアを有し、前記留め具本体頂点面には、穴を設置し、
こうして、普段はポータブル電子デバイスのレザーカバーの留め具に連結することで、内部に芳香材料を搭載する芳香材料搭載体により、香りを、前記留め具本体頂点面に設置する穴から発散し続け、香りを提供する効果を達成することを特徴とする香りを発散するポータブル電子デバイスのレザーカバーの留め具。
【請求項２】
前記留め具本体内部と前記キャリア部材との相対位置には、定位凸部及び定位凹部をそれぞれ設置し、芳香材料搭載体の設置、或いは交換が完成した時には、前記キャリア部材を前記留め具本体の収容エリア内に再び押し入れ、前記留め具本体上に設置される定位凸部と前記キャリア部材の定位凹部は相互に対応し、こうして前記キャリア部材は定位を達成することを特徴とする請求項１に記載の香りを発散するポータブル電子デバイスのレザーカバーの留め具。
【請求項３】
前記留め具本体の一端には、前記ポータブル電子デバイスのレザーカバーのベルトを連結する連結部を形成し、
前記連結部は、前記ベルトを通過させる孔であることを特徴とする請求項１に記載の香りを発散するポータブル電子デバイスのレザーカバーの留め具。
【請求項４】
前記留め具は、財布、名刺入れ、バッグなどの携帯物品に使用される留め具に応用でき、
内部の芳香材料搭載体により、香りを発散し続け、香りを提供する効果を達成することを特徴とする請求項１に記載の香りを発散するポータブル電子デバイスのレザーカバーの留め具。
【請求項５】
香りを発散するポータブル電子デバイスのレザーカバーの留め具であって、
前記留め具は、底台、蓋を有し、
前記蓋一端と前記底台には共に、枢接部を形成し、枢接して連結し、
前記底台一端側には、ポータブル電子デバイスのレザーカバーのベルトと連結する連結部を有し、
前記連結部は、前記ベルトを通過させる孔で、
前記底台内には、収容エリアを形成し、前記収容エリア内には、芳香材料搭載体を設置し、前記蓋を閉め、
前記底台及び前記蓋の相対位置に設置される定位凸部及び定位凹部を相互に対応させ、前記蓋と前記底台を閉めて定位を達成し、
前記蓋には、前記芳香材料搭載体の香りを発散することができる穴を有することを特徴とする香りを発散するポータブル電子デバイスのレザーカバーの留め具。
【請求項６】
香りを発散するポータブル電子デバイスのレザーカバーの留め具であって、
前記留め具は、留め具本体、キャリア部材を有し、
前記留め具本体内には、中空の収容エリアを有し、
前記収容エリアには、挿入口を有し、
前記キャリア部材は、陥没エリアを有し、
芳香材料を搭載する芳香材料搭載体は、前記陥没エリア内に設置し、
前記留め具本体と前記キャリア部材上の相対位置には、定位凸部と定位凹部とをそれぞれ設置し、
前記キャリア部材は、前記挿入口より前記留め具本体内に挿入され、
前記定位凸部と前記定位凹部との相互固定により、前記留め具本体一端側には、ポータブル電子デバイスのレザーカバーのベルトと連結する連結部を有し、
前記連結部は、前記ベルトを通過させる孔で、
前記留め具本体上には、芳香材料搭載体が香りを発散できる穴を設置することを特徴とする香りを発散するポータブル電子デバイスのレザーカバーの留め具。
【考案の詳細な説明】
【技術分野】
【０００１】
本考案は香りを発散するポータブル電子デバイスのレザーカバーの留め具に関し、留め具本体及びキャリア部材により構成される留め具で、キャリア部材は留め具本体内に組み付け、キャリア部材内には芳香材料搭載体を入れ、ポータブル電子デバイスのレザーカバー上に設置する留め具が普段から香りを自然に発散する効果を備える香りを発散するポータブル電子デバイスのレザーカバーの留め具に関する。
【背景技術】
【０００２】
科学技術の進歩に従い、携帯電話、タブレットＰＣなど随時携帯して使用する電子デバイスの機能はますます向上しており、現代人にとって片時も離せない物品となっている。それに従い、大多数の人は携帯電話やタブレットＰＣの美観のため、或いは携帯電話やタブレットＰＣを摩耗から守り使用寿命を延ばすため、さまざまなタイプのレザーカバー、プラスチック保護ケース、或いは保護フィルムなどで携帯電話やタブレットＰＣを保護している。
【０００３】
けれども、現在市販されている保護カバーは種類が非常に多いが、ポータブル電子デバイスを衝突や摩耗から保護する機能以外には、なんらの機能も備えていない。現在、香りを発散する携帯電話保護ケース設計は市販されてはいるが、その使用範囲は携帯電話の保護ケースに限定され、且つ構造が複雑で、芳香タブレットの交換は不便であるため、改善の必要がある。
【考案の概要】
【考案が解決しようとする課題】
【０００４】
前記先行技術には、使用範囲が携帯電話の保護ケースに限定され、構造が複雑で、芳香タブレットの交換が不便である欠点がある。
【課題を解決するための手段】
【０００５】
本考案は香りを発散するポータブル電子デバイスのレザーカバーの留め具に関する。
【０００６】
本考案による香りを発散するポータブル電子デバイスのレザーカバーの留め具は、留め具本体、キャリア部材により構成される留め具で、該留め具本体は、収容エリアを有し、該留め具本体の一端には、ポータブル電子デバイスのレザーカバーのベルトを連結する連結部を形成する。該キャリア部材は、ピボットにより、該留め具本体の収容エリア内に枢設され、該留め具本体上と該キャリア部材との相対位置には、定位凸部及び定位凹部をそれぞれ設置し、芳香材料搭載体の設置、或いは交換時には、該留め具本体収容エリア内のキャリア部材を押し出し、これにより該キャリア部材は、該ピボットを支点として回転し、該留め具本体外へと移動し、該芳香材料搭載体を設置或いは交換でき、完成後は、該キャリア部材を該留め具本体の収容エリア内に再び押し入れ、該留め具本体上に設置される定位凸部と該キャリア部材の定位凹部は相互に対応し、こうして該キャリア部材は定位を達成する。該キャリア部材上には、該芳香材料搭載体を取り付けることができる陥没エリアを有し、該留め具本体頂点面には、穴を設置する。こうして、普段はポータブル電子デバイスのレザーカバーの留め具に連結することで、内部に芳香材料を搭載する芳香材料搭載体により、香りを、該留め具本体頂点面に設置する穴から発散し続け、香りを提供する効果を達成する。
【０００７】
本考案による香りを発散するポータブル電子デバイスのレザーカバーの留め具は、普段はポータブル電子デバイスのレザーカバーの留め具に連結することで、内部に芳香材料を搭載する芳香材料搭載体により、香りを、該留め具本体頂点面に設置する穴から発散し続け、香りを提供する効果を達成する。
【０００８】
本考案による香りを発散するポータブル電子デバイスのレザーカバーの留め具は、ピボット方式により、該留め具本体収容エリア内のキャリア部材を押し出し、芳香材料搭載体を設置或いは交換し、完成後は、該キャリア部材を該留め具本体の収容エリア内に再び押し入れ、該留め具本体上に設置される定位凸部と該キャリア部材の定位凹部は相互に対応し、こうして該キャリア部材は定位を達成し、芳香材料搭載体の設置或いは交換をより便利とする。
【０００９】
本考案による香りを発散するポータブル電子デバイスのレザーカバーの留め具において、留め具は、財布、名刺入れ、バッグなどの携帯物品に使用される留め具に応用でき、内部の芳香材料搭載体により、香りを発散し続け、香りを提供する効果を達成する。
【考案の効果】
【００１０】
本考案はポータブル電子デバイスのレザーカバーの留め具に連結し、内部に芳香材料を搭載する芳香材料搭載体により、留め具本体頂点面に設置する孔から香りを発散し、芳香を提供し続ける効果を達成することができる。
【図面の簡単な説明】
【００１１】
【図１】本考案一実施形態の立体分解図である。
【図２】本考案の組合せ断面図である。
【図３】本考案の留め具とポータブル電子デバイスのレザーカバー結合後の側視図である。
【図４】本考案の留め具とポータブル電子デバイスのレザーカバー結合後の立体図である。
【図５】本考案による留め具がキャリア部材を押し出す時の実施形態図である。
【図６】本考案による留め具を財布に使用する時の実施形態図である。
【図７】本考案による留め具を名刺入れに使用する時の実施形態図である。
【図８】本考案による留め具をバッグに使用する時の実施形態図である。
【図９】本考案留め具の第二実施形態の立体図である。
【図１０】本考案留め具の第二実施形態の断面図である。
【図１１】本考案留め具の第三実施形態の立体分解図である。
【考案を実施するための形態】
【００１２】
以下に図面を参照しながら本考案を実施するための最良の形態について詳細に説明する。
【実施例１】
【００１３】
図１、図２、図３、図４に示す通り、本考案による香りを発散するポータブル電子デバイスのレザーカバーの留め具において、留め具１は、留め具本体１１、キャリア部材１２により構成される。
留め具本体１１は、収容エリア１１１を有する。
キャリア部材１２は、留め具本体１１の収容エリア１１１内に組み付けられる。
留め具本体１１の一端には、ポータブル電子デバイス３２のポータブル電子デバイスのレザーカバー３ベルト３１を連結する連結部１１２を形成する。
連結部１１２は、ベルト３１を通過させる孔である。
キャリア部材１２上には、芳香材料搭載体２を取り付けることができる陥没エリア１２１を有する。
留め具本体１１頂点面には、穴１１３を設置する。
普段はポータブル電子デバイスのレザーカバー３に連結される留め具１により、内部に芳香材料を搭載する芳香材料搭載体２により、香りを、留め具本体１１頂点面に設置する穴１１３から、発散し続け、香りを提供する効果を達成する。
【００１４】
キャリア部材１２は、ピボット１１４により、留め具本体１１及びキャリア部材１２の軸孔１１６、１２２を通過し、留め具本体１１の収容エリア１１１内に枢設する。
留め具本体１１内部とキャリア部材１２との相対位置には、定位凸部１１５及び定位凹部１２３をそれぞれ設置する。
芳香材料搭載体２を設置する、或いは交換する際には、留め具本体１１の収容エリア１１１内のキャリア部材１２を押し出す。
これにより、キャリア部材１２は、ピボット１１４を支点として回転し、留め具本体１１外へと移動し、芳香材料搭載体２を設置或いは交換することができる。
完成後は、キャリア部材１２を留め具本体１１の収容エリア１１１内に再び押し入れる。
こうして、留め具本体１１上に設置される定位凸部１１５とキャリア部材１２の定位凹部１２３は相互に対応し、キャリア部材１２は定位を達成する（図５参照）。
留め具１は、ポータブル電子デバイスのレザーカバー３反対側に設置される磁石部材３１１により、吸引され結合される。
【００１５】
留め具１は、財布４、名刺入れ５、バッグ６などの携帯物品に使用される留め具１に応用することができる。
これにより、普段は内部の芳香材料搭載体２により、香りを発散し続け、香りを提供する効果を達成する（図６、図７、図８参照）。
【００１６】
図９、図１０に示す通り、本考案の第二実施形態では、留め具７は、底台７１、蓋７２を有する。
蓋７２一端と底台７１には共に、枢接部７２２を形成し、枢接して連結する。
底台７１一端側には、ポータブル電子デバイスのレザーカバー３ベルト３１と連結する連結部７２４を有する。
連結部７２４は、ベルト３１を通過させる孔である。
底台７１内には、収容エリア７１１を形成する。
収容エリア７１１内には、芳香材料搭載体２を設置し、蓋７２を閉める。
底台７１及び蓋７２の相対位置に設置される定位凸部７１２及び定位凹部７２３を相互に対応させ、蓋７２と底台７１２を閉めて定位を達成する。
蓋７２は、芳香材料搭載体２の香りを発散することができる穴７２１を有する。
【００１７】
図１１に示す通り、本考案の第三実施形態では、留め具８は、留め具本体８１、キャリア部材８２を有する。
留め具本体８１内には、中空の収容エリア８１１を有する。
収容エリア８１１には、挿入口８１２を有する。
キャリア部材８２は、陥没エリア８２１を有する。
芳香材料を搭載する芳香材料搭載体２は、陥没エリア８２１内に設置する。
留め具本体８１とキャリア部材８２上の相対位置には、定位凸部８１３と定位凹部８２２をそれぞれ設置する。
キャリア部材８２は、挿入口８１２より留め具本体８１内に挿入される。
定位凸部８１３と定位凹部８２２との相互固定により、留め具本体８１一端側には、ポータブル電子デバイスのレザーカバー３のベルト３１と連結する連結部８１５を有する。
連結部８１５は、ベルト３１を通過させる孔である。
留め具本体８１上には、芳香材料搭載体２が香りを発散できる穴８１４を設置する。
【００１８】
上記を総合すると、本考案はポータブル電子デバイスのレザーカバーの留め具に連結し、内部に芳香材料を搭載する芳香材料搭載体により、留め具本体頂点面に設置する孔から香りを発散し、芳香を提供し続ける効果を達成することができる。
【符号の説明】
【００１９】
１、７、８  留め具
１１、８１  留め具本体
１１１、７１１、８１１  収容エリア
１１２、７２４、８１５  連結部
１１３、７２１、８１４  穴
１１４  ピボット
１１５、７１２、８１３  定位凸部
１１６、１２２  軸孔
１２、８２  キャリア部材
１２１、８２１  陥没エリア
１２３、７２３、８２２  定位凹部
２  芳香材料搭載体
３  ポータブル電子デバイスレザーカバー
３１  ベルト
３１１  磁石部材
３２  ポータブル電子デバイス
４  財布
５  名刺入れ
６  バッグ
７１  底台
７２  蓋
７２２  枢接部
８１２  挿入口
【図１】
0003202151.tif 000003
【図２】
0003202151.tif 000004
【図３】
0003202151.tif 000005
【図４】
0003202151.tif 000006
【図５】
0003202151.tif 000007
【図６】
0003202151.tif 000008
【図７】
0003202151.tif 000009
【図８】
0003202151.tif 000010
【図９】
0003202151.tif 000011
【図１０】
0003202151.tif 000012
【図１１】
0003202151.tif 000013